(57)【要約】  本発明は、動き検出装置である。この装置は、手足のような人の部分の動きを検出するのに使用できる。好適には、この装置は、ａ）電源、ｂ）人あるいは対象物の、互いに動く、複数の部分に直接的あるいは間接的に取付けることができる、２つあるいはそれ以上の収縮器、および、ｃ）電気的に連通する、長手方向に伸縮不能の電気的部材を具備する。電気的部材は、直接的あるいは間接的に案内構造体によって支持されることができる。この案内構造体は、この部材の長手方向を横切る方向の変形を最小化するように構成されている。収縮器の相対的な動きによって、収縮器間の距離が変化する。この相対的な動きを、収縮器間の電気抵抗の変化として、測定する、あるいは、検出することができる。
2009511135.tif 000002
【特許請求の範囲】
【請求項１】
動き、たとえば、限定ではないが、手足、あるいは、手足の部分などの、人の部分の動き、を検出する装置であって、
ａ）互いに相対的に運動する、人あるいは対象物の部分に、直接的あるいは間接的に装着できて、使用時に、人あるいは対象物が動いた結果、複数のコネクタ間の間隔が変化することができる、２あるいはそれ以上の収縮器と、
ｂ）細長い電気的部材であって、使用時に、電流を伝導して前記収縮器と電気的に接続され、前記電気的部材の長手方向の軸に沿って実質的に伸張せず、さらに、ｉ）少なくとも部分的に、前記電気的部材の長手方向の軸を横切る方向に弾性的に変形可能、であり、かつ／または、ｉｉ）前記電気的部材の有効長が前記収縮器間の最小の電気抵抗を持つ経路を規定して、前記収縮器間の電気抵抗の変化として動きを測定あるいは検出できるように、前記収縮器の相対的な動きが前記収縮器の間の、前記電気的部材の有効長を変化できるように、前記電気的部材の長手方向の軸を横切る方向の変形を最小化するように構成された、弾性的な特性を持つ案内構造体に、直接的にあるいは間接的に支持される、細長い電気的部材と、
を具備する、動きを検出する装置。
【請求項２】
前記部材の前記弾性的に変形可能な性質、および／あるいは、前記案内構造体の前記弾性的な特性は、前記収縮器の屈曲の程度を最小化する、ことを特徴とする、請求項１に記載の、動きを検出する装置。
【請求項３】
さらに、前記部材と電気的に接続された、電源を具備する、ことを特徴とする、請求項１あるいは請求項２のいずれか１つに記載の、動きを検出する装置。
【請求項４】
さらに、前記収縮器間の電気抵抗の変化を記録手段あるいは監視手段を具備する、ことを特徴とする、請求項１−３のいずれか１つに記載の、動きを検出する装置。
【請求項５】
電気抵抗の変化を記録する、前記手段は、電気抵抗および前記対象物の動きを解析するコンピュータを具備する、ことを特徴とする、請求項４に記載の、動きを検出する装置。
【請求項６】
さらに、その上に前記収縮器が装着あるいは取付けられる、可撓性を持つ基体を具備する、ことを特徴とする、請求項１−６のいずれか１つに記載の、動きを検出する装置。
【請求項７】
前記基体が前記人あるいは前記対象物に装着されたとき、前記基体は、動いている間、前記収縮器が実質的に前記対象物上で同一の位置に保持されるように、前記人あるいは前記対象物に適合する形状をとることができる、ことを特徴とする、請求項７に記載の、動きを検出する装置。
【請求項８】
前記基体が伸ばされたり折畳まれたりしたとき、前記コネクタが互いから離れたり遠ざかるように動くように、前記基体は伸張可能で、前記コネクタは前記基体に装着されている、ことを特徴とする、請求項７あるいは請求項８いずれか１つに記載の、動きを検出する装置。
【請求項９】
前記基体は織物で、限定ではないが、ナイロン、ゴム、スパンテックス、および、ｌｙｃｒａ（商標）のような、弾性物質を含むことができる、ことを特徴とする、請求項６−９のいずれか１つに記載の、動きを検出する装置。
【請求項１０】
前記収縮器が離れるように動くとき、前記部材が、張った状態で摺動可能に接属されている、前記収縮器に対して動くように、また、前記収縮器が互いに向かって動くとき、前記部材の弾性的に変形可能な性質によって、前記部材が、圧縮された状態の前記収縮器に対して動くように、前記部材は少なくともひとつの前記収縮器に摺動可能に接続されている、ことを特徴とする、請求項１−９のいずれか１つに記載の、動きを検出する装置。
【請求項１１】
前記部材と前記収縮器との間の前記摺動可能な接属は、前記収縮器が前記部材を部分的にあるいは完全に取り囲む、ことを特徴とする、請求項９に記載の、動きを検出する装置。
【請求項１２】
前記部材は、両方の前記収縮器に摺動可能に接属されている、ことを特徴とする、請求項１０に記載の、動きを検出する装置。
【請求項１３】
前記部材は、少なくとも２つの収縮器に固定的に接続されており、前記電気的部材は、前記部材が部材の非直線部分を含むように構成されており、短絡回路手段は、前記非直線部分を前記部材の、最小電気抵抗を持つ経路を規定する、前記有効長から電気的に絶縁しており、使用している間、前記収縮器間の距離が変化するのに応じて、前記非直線部分に含まれている前記有効長は変化して、前記最小抵抗の経路を規定する前記有効長を変化させる、ことを特徴とする、請求項１−９のいずれか１つに記載の、動きを検出する装置。
【請求項１４】
前記非直線部分は、少なくとも１８０°だけ方向が変わる部分である、ことを特徴とする、請求項１３に記載の、動きを検出する装置。
【請求項１５】
前記短絡回路手段は、前記部材が自身に接触する、点であり、前記非直線部分は、前記部材の中で少なくとも１つの３６０°の、ループの大きさが変わるに応じて、前記収縮器間の前記部材の前記有効長も変化するように大きさが変わることの出来る、ループを含む、ことを特徴とする、請求項１３に記載の、動きを検出する装置。
【請求項１６】
前記収縮器が互いに向かって動くとき、前記部材の弾性的な性質によって、ループの大きさが増大して、最小電気抵抗を持つ経路を規定する、前期収縮器間の、前記部材の前記有効長を低減し、前記収縮器が離れるように動きとき、ループの大きさは減少して、最小電気抵抗を持つ経路を規定する、前期収縮器間の、前記部材の前記有効長を増加する、ことを特徴とする、請求項１５に記載の、動きを検出する装置。
【請求項１７】
前記短絡回路手段は、前記部材の前記非直線部分をまたいで接属する、ブリッジを含む、ことを特徴とする、請求項１３に記載の、動きを検出する装置。
【請求項１８】
前記部材の前記非直線部分は、前記部材の中に少なくとも１つのＵ字型の形状を含み、前記ブリッジは前記部材の前記有効長から前記ループ部分を排除している、ことを特徴とする、請求項１７に記載の、動きを検出する装置。
【請求項１９】
前記部材は、２あるいはそれ以上の基体を含み、サブ部材の各々は、少なくともひとつの他のサブ部材と接触して一つ又はそれ以上の相互接続点を形成しており、前記サブ部材の相対的な動きによって、前記相互接続点がシフトして、前記最小抵抗経路を規定する前記部材の前記有効長を変える、ことを特徴とする、請求項１−９のいずれか１つに記載の、動きを検出する装置。
【請求項２０】
サブ部材の各々は、前記収縮器のひとつに接続されている、ことを特徴とする、請求項１９に記載の、動きを検出する装置。
【請求項２１】
前記サブ部材は、互いに平行に配置されていて、前記サブ部材が少なくとも１つの他の部材に沿って摺動可能に相互接続されるように、摺動可能に相互接続されている、ことを特徴とする、請求項１９あるいは請求項２０のいずれか１つに記載の、動きを検出する装置。
【請求項２２】
前記サブ部材は、２つの相互接続点で相互接続されて、前記部材は、平行関係で接続されている、ことを特徴とする、請求項２０に記載の、動きを検出する装置。
【請求項２３】
サブ部材の各々は、隣接する前記サブ部材を係合して相互接続点を規定する、エンド・フックを含む、ことを特徴とする、請求項２１あるいは請求項２２のいずれか１つに記載の、動きを検出する装置。
【請求項２４】
前記サブ部材は、相互接続点で、互いに横切って、交差あるいは接触して配置されており、前記サブ部材間の最小電気抵抗の前記経路は、前記サブ部材のと前記サブ部材と前記相互接続点とに接続されている部分に沿って規定されている、ことを特徴とする、請求項２０に記載の、動きを検出する装置。
【請求項２５】
前記相互接続点は、前記収縮器間の相対的な動きに応じて、少なくとも１つのサブ部材に沿って動くことが出来る、ことを特徴とする、請求項２４に記載の、動きを検出する装置。
【請求項２６】
前記案内構造体は、その中で前記部材が滑ることが出来る、導管、チューブ、あるいは、スリーブである、ことを特徴とする、請求項１−２５のいずれか１つに記載の、動きを検出する装置。
【請求項２７】
前記装置は、その中で前記部材が滑ることが出来る、導管、チューブ、あるいは、スリーブという形態の、本質的に非弾性的な案内構造体を含む、ことを特徴とする、請求項１−２６のいずれか１つに記載の、動きを検出する装置。
【請求項２８】
使用時に、測定された前記収縮器間の電気抵抗が、１０から３００ｋΩの範囲にある、ことを特徴とする、請求項１−２７のいずれか１つに記載の、動きを検出する装置。
【請求項２９】
使用時に、測定された前記収縮器間の電気抵抗が、１０から１００ｋΩの範囲にある、ことを特徴とする、請求項１−２７のいずれか１つに記載の、動きを検出する装置。
【請求項３０】
人の手足、あるいは、手足の部分のような、人の部分の動きを検出する衣服であって、
ａ）衣服上の選択した部分に、直接的あるいは間接的に装着されて、衣服がまとわれた時に、人が動いた結果、複数のコネクタ間の間隔が変わることができる、２あるいはそれ以上の収縮器と、
ｂ）細長い電気的部材であって、電源および前記収縮器に接続可能であって、前記電気的部材の長手方向の軸に沿って実質的に伸張せず、さらに、ｉ）少なくとも部分的に、前記電気的部材の長手方向の軸を横切る方向に弾性的に変形可能、であり、かつ／または、ｉｉ）前記電気的部材の有効長が収縮器間の最小の電気抵抗を持つ経路を規定して、前記収縮器間の電気抵抗の変化として動きを測定あるいは検出できるように、前記収縮器の相対的な動きが前記収縮器の間の、前記電気的部材の有効長を変化できるように、前記電気的部材の長手方向の軸を横切る方向の変形を最小化するように構成された、弾性的な特性を持つ案内構造体に、直接的にあるいは間接的に支持される、細長い電気的部材と、
を具備する、人の部分の動きを検出する衣服。
【請求項３１】
前記部材の前記弾性的に変形可能な性質、および／あるいは、、前記案内構造体の前記弾性的な特性は、前記収縮器間の前記部材の屈曲の程度を最小化する、ことを特徴とする、請求項３０に記載の衣服。
【請求項３２】
前記衣服は、伸張可能な、および／あるいは、可撓可能な織物を含み、前記収縮器は、前記基体が伸びあるいは折畳まれたとき、前記コネクタが互いに離れるように動くように、前記織物に装着されている  ことを特徴とする、請求項３０−３１のいずれか１つに記載の衣服。
【請求項３３】
前記織物は、限定ではないが、ナイロン、ゴム、スパンテックス、および、ｌｙｃｒａ（商標）のような、弾性物質を含む、ことを特徴とする、請求項３２に記載の衣服。
【請求項３４】
前記収縮器が離れるように動いたとき、前記部材が、摺動可能に接続されている、張力がかかった状態の前記収縮器に対して動くように、前記部材は、少なくとも１つの前記収縮器に摺動可能に接属されており、前記収縮器が互いに向かうように動いたとき、前記部材の弾性的に変形可能な性質によって、前記部材は、前記収縮器に対して動くことができる、ことを特徴とする、請求項３０−３３のいずれか１つに記載の衣服。
【請求項３５】
前記織物に装着されている前記コネクタは、前記部材に接続されており、前記織物に装着されている別の前記コネクタは、前記部材に摺動可能に接続されており、使用時に、前記衣服を着ている人の動きによって、前記部材が摺動可能に取付けられている前記コネクタを通して滑り、前記部材の前記有効長を変えることができる、ことを特徴とする、請求項３２−３３のいずれか１つに記載の衣服。
【請求項３６】
前記部材は、２つの接触器の摺動可能に接続されている、ことを特徴とする、請求項３５に記載の衣服。
【請求項３７】
前記部材は、少なくとも２つの接触器に固定的に接続されており、前記電気的部材は、前記部材が前記部材の非直線部分を含むように構成されており、短絡回路手段は、前記非直線部分を、最小電気抵抗の経路を規定する前記部材の前記有効長から電気的に絶縁しており、使用時に、接触器間の距離が変化するのに応じて、前記部材の前記非直線部分に含まれる前記長さが変わって、最小電気抵抗の経路を規定する前記部材の前記有効長が変わる、ことを特徴とする、請求項３０−３３のいずれか１つに記載の衣服。
【請求項３８】
前記非直線部分は、少なくとも１８０°だけ方向が変わる、部分である、ことを特徴とする、請求項３７に記載の衣服。
【請求項３９】
前記短絡回路手段は、前記部材が自分自身と接触する点であり、前記非直線部分は、ループの大きさが変わるに応じて、前記接触器間の前記部材の前記有効長も変わるように、ループの大きさが変わることが出来る、前記部材の３６０°のループ、だけことを特徴とする、請求項３８に記載の衣服。
【請求項４０】
前記接触器互いに向かうように動かされたとき、前記部材の前記弾性的性質によって、前記ループの大きさが増大して、最小電気抵抗の経路を規定する前記接触器間の前記部材の前記有効長を減少し、前記接触器互いに離れるように動いたとき、前記ループの大きさが減少して、最小電気抵抗の経路を規定する前記接触器間の前記部材の前記有効長を増大する、ことを特徴とする、請求項３９に記載の衣服。
【請求項４１】
前記短絡回路手段は、前記部材の前記非直線部分にまたいで接続された、ブリッジを含む、ことを特徴とする、請求項３９に記載の衣服。
【請求項４２】
前記部材の前記非直線部分は、少なくとも１つのＵ字型の形状を含み、前記ブリッジは前記部材の前記有効長から前記部材の前記非直線部分を取除く、ことを特徴とする、請求項４１に記載の衣服。
【請求項４３】
前記部材は、２つあるいはそれ以上のサブ部材を含み、サブ部材の各々は、少なくとも１つの他のサブ部材と接触して１つあるいはそれ以上の相互接続点を形成し、前記サブ部材間の相対的な動きによって、最小電気抵抗の経路を規定する前記部材の前記有効長が変化する、ことを特徴とする、請求項３０−３３のいずれか１つに記載の衣服。
【請求項４４】
前記サブ部材は、１つのコネクタに接続されている、ことを特徴とする、請求項４３に記載の衣服。
【請求項４５】
前記サブ部材は、互いに平行に配置されてひとつのサブ部材が少なくとも１つの別の部材に沿って摺動可能に相互接続される態様で摺動可能に相互に接続されている、ことを特徴とする、請求項４３−４４のいずれか１つに記載の衣服。
【請求項４６】
前記サブ部材は２つの相互接続点で相互接続されており、前記部材は、平行関係をもって接続されている、ことを特徴とする、請求項４５に記載の衣服。
【請求項４７】
サブ部材の各々は、隣接する前記サブ部材を係合して規定する前記相互接続点の１つを規定する、エンド・フックを含んでいる、ことを特徴とする、請求項４５あるいは請求項４６に記載の衣服。
【請求項４８】
前記サブ部材は、互いに横切るように配置されて、相互接続点で、交差、あるいは、接触しており、前期サブ部材間の最小電気抵抗の前記経路が複数の前記サブ部材および相互接続点と接触している前記サブ部材の部分に沿って規定される、ことを特徴とする、請求項４５に記載の衣服。
【請求項４９】
前記相互接続点は、前記接触器間の相対的な動きに応じて、少なくとも１つのサブ部材に沿って動くことができる、ことを特徴とする、請求項４９に記載の衣服。
【請求項５０】
前記案内構造体は、その中で前記部材が滑ることが出来る、導管、チューブ、あるいは、スリーブである、ことを特徴とする、請求項３０−４９のいずれか１つに記載の衣服。
【請求項５１】
前記装置は、その中で前記部材が滑ることが出来る、導管、チューブ、あるいは、スリーブという形態の、本質的に非弾性的な案内構造体を含む、ことを特徴とする、請求項３０−５０のいずれか１つに記載の衣服。
【請求項５２】
前記衣服は、人の肘の動きを監視するように構成されている、ことを特徴とする、請求項３０−５１のいずれか１つに記載の衣服。
【請求項５３】
測定された前記収縮器間の電気抵抗が、１０から３００ｋΩの範囲にある、ことを特徴とする、ことを特徴とする、請求項３０−５２のいずれか１つに記載の衣服。
【請求項５４】
測定された前記収縮器間の電気抵抗が、１０から１００ｋΩの範囲にある、ことを特徴とする、ことを特徴とする、請求項３０−５２のいずれか１つに記載の衣服。
【発明の詳細な説明】
【技術分野】
【０００１】
本発明は、人、動物、あるいは、機械のような対象物の運動、特に、それらの部分の動きを検出あるいは監視する装置及び衣服に関する。たとえば、本発明は、アスリートあるいは患者の腕及び脚の動きを監視あるいは検出することに使用することができる。同様に、本発明は、ロボットあるいは機械の動きを監視あるいは検出することにも使用することができる。
【背景技術】
【０００２】
本発明の主題である技術は、トレーニング、骨格の関節、あるいは、筋肉損傷のリハビリテーション、生体医学監視、医療用織物、負傷兵のトリアージ・サービス、その他の軍事的及び安全的応用を含む（これですべてではない）、広い適用分野で使用できることがわかる。別の例では、本発明は、織物のような媒体の形状あるいは構成、より具体的には、ヨットの帆の形状あるいは構成を調整する道具として使用することもできる。さらに別の例では、本発明は、人あるいは対象物の運きによって、音を生成することが機能である、あるいは、生成された音を制御する、音楽機器に適用することができる。
【０００３】
帆との手の動きを測定する装置のひとつの例が、特許文献１に記載されている。その装置は、人の手のヒンジ様の動き、あるいは、関節の動きを検出する、角度測定器の列を具備している。関節の動きは、ストレインゲージに負荷される応力に応じて電気伝導性が変化する、ストレインゲージの列を使用して監視される。各々のストレインゲージは、人に装着されたグローブの部分を形成して、それらのストレインゲージは、掌あるいはグローブの上面に配置されている。人が指を曲げたとき、電気信号の変化は受信され、そして、電気信号をコンピュータ・インターフェイスを使用して特定の機能を実行するものと解釈することができる。
【０００４】
別の例は、ピータ・ギプス、ハリー・アサダの“多軸人体関節角度測定用の身につけることが可能な伝導性繊維センサ”と題する、論文（非特許文献１）に記載された装置である。この論文は、レーヨン、コットン、および、ゴムを含む編まれた繊維スリーブを具備した、従来のニー・サポートの形状を持つ装置を記述している。電気伝導性繊維は、永久的に、ひとつの伝導点で膝関節の上のニー・サポートに取付けられ、ニー・サポート繊維の外側でその関節をまたいで取付けられている。この伝導性繊維は、関節をまたいで自由に滑る必要があるので、スリーブに縫い合わせあるいは編み合わせされていない。装着したとき膝の下の位置にあって使用時に伝導性繊維を張った状態にする、永久的にスリーブに取付けられている、弾性を持つコード（弾性コード）は、伝導性繊維の反対側の端に連結している。関節が動きと、その弾性コードの長さが変わり、伝導性繊維を、それらの伝導点間の回路を形成するように永久にその繊維の中に縫い込んである、もうひとつの伝導点を通り過ぎて引張る。関節を曲げると、２つの伝導点間の伝導性繊維の長さが増大して、２つの伝導点間の電気抵抗が電圧分割器あるいはブリッジ回路を使用して測定される。最終的には、抵抗の変化は、関節の動きに関する情報を提供するように、解釈されて分析されることができる。
【０００５】
信頼性の高い操作を維持するために、装置は、伝導性繊維に常に張力がかかった状態にある、弾性コードに依存している。弾性コードが不具合を生じたとき、それらの点の間の伝導性繊維の長さは、膝関節の曲がりの程度を表さない。加えて、我々の考えでは、この設計は、膝の後ろ側、あるいは、肘の内側のような、伝導性繊維が関節の内側に配置されている状況に特に適しているわけではない。
【０００６】
本発明の目的は、関節あるいは変形した表面の動きを監視することに使用することができる代替装置を提供することである。
【特許文献１】米国特許第６，７０１，２９６号明細書
【特許文献２】オーストラリア・プロビジョナル特許出願第２００６９０３５０１号明細書
【非特許文献１】ジャーナル  オブ  ニューロエンジニアリング  アンド  リハビリテーション  ２００５、  ２：７
【発明の開示】
【０００７】
本発明によれば、動き、たとえば、限定ではないが、彼らの手足、彼らの手足の部分、あるいは、変形可能な表面などの、人の部分の動きを検出する装置が提供される。この装置は、
ａ）互いに相対的に運動する、人あるいは対象物の部分に、直接的あるいは間接的に装着できて、使用時、人あるいは対象物が動いた結果、複数のコネクタ間のスペースが変わることが出来る、２あるいはそれ以上の収縮器と、
ｂ）細長い電気的部材であって、使用時、電流を伝導してその収縮器と電気的に接続され、その電気的部材の長手方向の軸に沿って実質的に伸張せず、さらに、ｉ）少なくとも部分的に、その電気的部材の長手方向の軸を横切る方向に弾性的に変形可能、であって／であるか、ｉｉ）その電気的部材の有効長が収縮器間の最小の電気抵抗を持つ経路を規定して、収縮器間の電気抵抗の変化として動きを測定あるいは検出できるように、収縮器の相対運動が収縮器の間の、その電気的部材の有効長を変化できるように、その電気的部材の長手方向の軸を横切る方向の変形を最小化するように構成された、弾性的な特性を持つ、案内構造体に、直接的にあるいは間接的に支持される、細長い電気的部材と、
を具備する。
【０００８】
本発明が提供する有利な効果は、収縮器間の電気抵抗の変化を監視することによって、対象物の動きが容易に検出および分析できることである。本発明が提供する別の有利な効果は、部材の弾性的な性質のために、装置が比較的複雑でない単純な構造を持っていることである。
【０００９】
好適には、部材の弾性的な変形可能な性質、および／あるいは、案内構造体の弾性的な特性は、収縮器の間の部材の曲がりの程度を最小化することが好ましい。部材の電気抵抗は、その長さの関数であり、それ故、収縮器の間の部材の曲がりを最小化することによって、部材の有効長と最小抵抗を持つ経路も最小化される。
【００１０】
複数の収縮器は、動きを検出あるいは監視される、対象物あるいは人に、ストラップ、粘着、その他の適当な方法で、直接固定される、個別の部品とすることは可能ではあるが、好適には、装置は、その上に収縮器を装着でき、監視される部分に装着できる、可撓性の基体を具備することが好ましい。より具体的には、基体は、収縮器が監視される部分に位置合わせされるように、対象物に装着することができる。
【００１１】
さらに、好適には、基体は、動いている間、対象物上の実質的に同一な位置に収縮器が保持されるように、対象物の形状をとることができることが好ましい。
【００１２】
さらに、好適には、期待は織物であることが好ましく、限定ではないが、ナイロン、ゴム、スパンテックス、および、ｌｙｃｒａ（商標）のような、弾性物質を具備することもできる。
【００１３】
好適には、装置は、さらに、部材に電気的に接続された、電源を具備することが望ましい。
【００１４】
好適には、装置は、複数の収縮器の電気抵抗の変化を記録する手段を具備することが望ましい。
【００１５】
さらに、好適には、電気抵抗の変化を記録する手段は、電気抵抗を分析して対象物の動き分析するコンピュータを具備することが望ましい。
【００１６】
それぞれ、部材の有効長をどのように最小化して、最小抵抗の経路を規定するかに関連する、本発明の代替実施態様を、以下、詳細に記載する。
【００１７】
第一の実施態様によれば、好適には、収縮器同士が離れるように動くとき、部材が、張った状態の収縮器を通して滑るように、収縮器が互いに向かって動くとき、部材の弾性的に変形する性質によって、部材が収縮器を通して滑ることができるように、部材は、少なくともひとつの収縮器に摺動可能に接続されていることが望ましい。部材の弾性的に変形する性質によって、特に、部材の曲がりが最小である間、部材を曲がらずに、部材は、収縮器を通して滑ることができる。
【００１８】
本実施態様によれば、部材は、両方の収縮器に摺動可能に接続して、収縮器同士が離れるように動くとき、部材を張った状態で配置し、収縮器が互いに向かって動くとき、圧縮された状態で配置することも可能である。部材がひとつあるいはそれ以上の収縮器に摺動可能に接続されているか否かに係わらず、部材の弾性的に変形する性質によって、収縮器間の如何なる曲がりも可能な限り滑らかであることが保証される。その結果、有効長、したがって、最小抵抗を持つ経路は、最小化される。
【００１９】
加えて、収縮器が互いに向かうあるいは離れるとき、収縮器は、平面を越えて動く。この点では、部材は、収縮器が平面を越えて動く、その平面を横切るように配置することができるが、好適には、部材は、収縮器がこれを越えて動く、その面に実質的に平行あるいは同一面内に配置することが好ましい。この状況下で、部材は、本質的に、Ｉ字型の形状、あるいは、直線的な構成に配置されていると言うことも出来る。
【００２０】
部材は、収縮器の間に位置しない、屈曲した尾部を持つことも可能である。このような状態では、部材は、本質的に、Ｊ字型の形状に保持されていると言うことも出来る。
【００２１】
第二の実施態様によれば、好適には、部材は、少なくとも２つの収縮器に固定的に接続されて、電気的部材は、収縮器の間の部材が非直線的部分を持ち、短絡手段が非直線的部分を、最小電気抵抗経路を規定する、部材の有効長から電気的に絶縁するように構成され、使用中に、収縮器の間の距離が変化して、このことが、最小抵抗経路を規定する、部材の有効長を変えるのに応じて、非直線的部分に含まれる部材の長さは変化することが望ましい。
【００２２】
好適には、非直線的部分は、少なくとも１８０°だけ方向が変化する、部分であることが望ましい。
【００２３】
好適には、短絡手段は、部材がそれ自身に接触する場所であり、非直線的部分は、ループの大きさの変化に応じて、収縮器間の部材の有効長も変わるように、大きさが変わることの出来る、部材の中で少なくとも３６０°のループを含むことが望ましい。この状況下では、部材の非線形的部分と部材の隣接する部分は、ｅ字型形状を持っていて、部材の方向の３６０°より大きい変化を含んでいると言うこともできる。
【００２４】
たとえば、収縮器が互いに向かって動くとき、部材の弾性的な性質によって、ループの大きさが増大して、その結果、最小電気抵抗経路を規定する、収縮器間の部材の長さを低減する。逆に、収縮器同士が離れるように動くとき、ループの大きさが縮小して、その結果、最小電気抵抗経路を規定する、収縮器間の部材の長さを増大する。
【００２５】
好適には、短絡回路手段は、部材の非直線部分に接続され、部材の非直線部分をまたぐ、ブリッジ部分を含むことが好ましい。
【００２６】
さらに、好適には、部材の非直線部分は、部材の中に少なくとも１つのＵ字型形状を含み、ブリッジが部材の有効長、部材の非直線部分から外れていることが望ましい。部材が２つのＵ字型形状と２つのブリッジ部を含む状況では、部材は、実効的に、非直線部分を持つことになり、部材は、Ｓ字型形状を持っていると言うことができる。
【００２７】
第三の実施態様によれば、好適には、部材は、２つあるいはそれ以上の下位の部品（部品の部品、サブ部材）を含み、各々のサブ部材は、少なくとも１つの他のサブ部材に接触しており、  １つあるいはそれ以上のサブ部材へのあるいはからの接続点の相対的な動きによって、接続点がシフトすることで、最小抵抗経路を規定する、部材の有効長が変化することが望ましい。
【００２８】
サブ部材は、部材の軸が実質的に平行になる、あるいは、互いに横切るように配置されることが出来る。互いに平行に部材が配置された状況では、好適には、ひとつのサブ部材が少なくとも１つの他の部材に沿って摺動可能に接続される様式で、部材は摺動可能に互いに接続されることが好ましい。
【００２９】
さらに、好適には、サブ部材が２つの接続点で接続されて、複数の部材が、それらが平行関係に接続されるように、接続されることが好ましい。
【００３０】
さらに、好適には、各々のサブ部材は、隣接するサブ部材を係合して、これによって、接続点を規定する、エンド・フックを具備することが望ましい。
【００３１】
部材が互いに横切るように配置される状況では、サブ部材は接続点で接触して、サブ部材間の最小電気抵抗経路は複数のサブ部材に接続しているサブ部材の部分および接続点に沿って規定される。
【００３２】
収縮器の間の相対的な動きに応じて、接続点は、少なくとも１つのサブ部材に沿って動くことができる。
【００３３】
Ｘ字型形状にて部材が互いに横切るように配置され、隣接するサブ部材の端が複数の収縮器に固定的に接続されて、接続点がＸ字型形状の中央部にある状況では、サブ部材の有効長は、本質的に、Ｖ字型形状を形成する。
【００３４】
本発明によれば、手足、あるいは、手足の部分のような、人の部分の動きを検出する衣服が提供される。この衣服は、
ａ）衣服上の選択した部分に、直接的あるいは間接的に装着されて、衣服がまとわれた時に、人が動いた結果、複数のコネクタ間のスペースが変わることが出来る、２あるいはそれ以上の収縮器と、
ｂ）細長い電気的部材であって、使用時、電流を伝導してその収縮器と電気的に接続され、その電気的部材の長手方向の軸に沿って実質的に伸張せず、さらに、ｉ）少なくとも部分的に、その電気的部材の長手方向の軸を横切る方向に弾性的に変形可能、であり、かつ／または、ｉｉ）その電気的部材の有効長が収縮器間の最小の電気抵抗を持つ経路を規定して、収縮器間の電気抵抗の変化として動きを測定あるいは検出できるように、収縮器の相対運動が収縮器の間の、その電気的部材の有効長を変化できるように、その電気的部材の長手方向の軸を横切る方向の変形を最小化するように構成された、弾性的な特性を持つ、案内構造体に、直接的にあるいは間接的に支持される、細長い電気的部材と、
を具備する。
【００３５】
本発明の衣服は、本発明の装置の特徴を、その中の任意の１つを単独で、あるいは、任意の組み合わせで、具備することもできる。
【００３６】
衣服は、肘、手首、指、肩、首、背中、腰、膝、くるぶし、あるいは、つま先のような、如何なる人体の関節の動きをも検出あるいは監視することに使用することができる。衣服が、人が着た、シャツ、あるいは、上着である状況では、本発明は、人の肘の相対的な角度的な位置を監視して、ギターの音響のような、出力を制御することに使用することができる。どのようにして、人の肘の相対的な角度的な位置を使用して、ギターの音響のような音響機器の音を制御して刺激することができるかに関するより詳細な説明は、我々の特許文献２とこれに続くそこで参照されている出願を参照していただきたい。
【発明を実施するための最良の形態】
【００３７】
複数の実施態様は、同一の、あるいは、実質的に同様の、多くの特徴を持つので、便宜上、本明細書および添付の図面の中で一貫してこれらの特徴を同定するために同一の参照番号を付している。
【００３８】
各々の図は、その長手方向の軸を横切る方向に弾性的に変形可能な、細長い電気的部材１０を持つ、動き検出装置の動き検出器を示している。言い換えると、電気的部材１０は、その軸を横切る方向に変形あるいは屈曲されたとき、跳ね返る能力を持っている。加えて、電気的部材１０は、その軸に平行な方向には、実質的に伸張せず、その結果、部材は、一時的にも永久的にも伸びて部材の長さを変えることができない。
【００３９】
各々の実施態様に共通する、別の特徴は、２あるいは可能ならそれ以上の、部材に電気的に接続された接触器を具備した、電源である。各々の接触器は、ｉ）その点で電源が部材に固定的に接続されている、固定接続点１１、ii）部材１０と電源の間の、部材１０に沿って滑ることができ、これによって、電源との接続点間の最小電気抵抗経路を規定する、部材１０の有効長を変化させる手段を提供する、浮動接続点１２のいずれか一方であることができる。
【００４０】
浮動接続点１２は、たとえば、（シールデックスの銀メッキされたナイロン糸、１２５／１７、２つ縒り、のような）銀をコートされたナイロン伝導性糸などの伝導性の糸を、ループあるいは開口部を形成する、織物の基体の中に、縫って、織って、あるいは、編んで、供給され、部材１０は、１つあるいはそれ以上のループを介して糸を通す。理想的には、ループは、通常の応力が掛かっていない位置から捻られている。このようにループを捻ることで、部材１０と接続点１１との連続的な電気的な接続を促進する。
【００４１】
電源は、電流を伝導する部材１０になる、接続点１１、１２間に電位差を供給する。部材１０に沿って伝導する電流の大きさは、接続点１１、１２間の抵抗によって決定され、部材１０の抵抗は、部材１０に沿って電流が伝導する長さに等しい、部材１０の有効長の関数である。図示しないが、部材１０に沿って伝導する電流は、人あるいは機械の動きを、測定、監視、記録、および、評価するのに適当なコンピュータ・ハードウェアとソフトウェアを使用して分析できる。コンピュータ・ソフトウェアは、適当なアルゴリズムを採用することができ、装置の特定の応用に応じて既知の手法を使用して較正されることができる。
【００４２】
使用中、接続点１１、１２は、人あるいは機械に装着され、それらの動きが監視される、より具体的には、接続点間を伝導する電流を決定する、部材１０の有効長の変化によって接続点１１、１２の相対運動が監視されることが出来る。
【００４３】
図に示された実施態様は、膝あるいは肘の曲げのような動きに応じて、最小抵抗経路を規定する部材１０の有効長を変化させることができる、３つの異なる機構を示している。以下、実施態様を詳述する。
【００４４】
図１は、部材がそれぞれを通して滑ることができるように適合させた、２つの接続点１１を備えた、第一の実施態様を示している。これらの接続点１１は、装着される人あるいは機械に直接あるいは間接に装着されることができる。図１に示された実施態様の場合、これらの接続点は、使用時に織物の中の固定位置で、伸張可能な織物１３の中に取り込まれる。織物の基体１３は、膝あるいは肘のような、人の関節、あるいは、連結あるいはボール・ジョイントのような機械の関節、を覆うように位置合わせされている。
【００４５】
関節が曲がって引込んでいる位置と解放された位置との間を動くのに応じて、織物１３は、伸びて縮み、その結果、これらの接続点１１間の距離は、関節の曲がりと共に変化する。これらの接続点１１が離れるとき、部材１０は張った状態でこれらの接続点１１を通して滑り、これらの接続点１１が互いに向かうとき、部材１０の弾性的な性質によって、部材１０は圧縮された状態でこれらの接続点１１を通して滑る。部材１０は、織物の外側に配置され、織物にひとつの端で留められている。
【００４６】
部材１０の弾性的に変形する性質によって、部材１０は、部材１０の長さ、したがって、これらの接続点１０の間の電気抵抗を最小化する、これらの接続点１１の間に、本質的に、直線的に保たれる。
【００４７】
図２に示された実施態様は、その端が織物１３にアンカされている、ＪあるいはＵ字型形状の尾部１４を含む以外は、図１に示された実施態様と実質的に同じである。ＪあるいはＵ字型形状の尾部と反対側の部材の端は、その部材に固定的に接続されて、織物の基体１３にアンカされている、接続点１２を含む。そして、織物の基体１３に、取り込まれている、あるいは、装着されている、浮動接続点１１は、摺動可能に部材１０に接続されている。使用時、関節の動きは、織物の基体１３を伸ばして、接続点１１と接続点１２との間の距離を増減する。接続点間の距離の変化に応じて、部材の尾部１４の曲率も変化する。
【００４８】
図３は、接続点１２は、部材１０の反対側の端に固定的に接続されて、接続点１２は、基体１３にアンカされている、代替実施態様を示している。図３にみられるように、部材１０は、ｅ字型形状のループ１５を形成するように、点１６で、それ自身に重なって接触している。点１６で、部材１０に沿って伝導する電流がループ１５をバイパスすることによって、このループに含まれる部材１０の長さが部材１０の有効長に寄与しない短絡回路が形成される。使用時、この実施態様が装着された、関節の動くことによって、接続点１２が互いに離れたり近づいたりして、ループ１５の大きさが変わり、これに沿って電流が伝導される、部材１０の全体長も変化する。ループ１５の大きさが変化すると、部材１０が重なって接触する点である、点１６も変化する。
【００４９】
この実施態様の機能の重要な側面は、部材１０は、ループ１５の大きさを最大化する、したがって、部材１０のその接続点１２間の有効長を最小化するように弾性的に変形可能であることである。この面では、部材１０の有効長を自律的に最小化する、部材１０の中での、案内スティッチ（縫い目、針目）１７の位置と構成は重要な役割を果たす。図示していないが、案内スティッチ１７は、少なくとも部分的に、全体的も可能であるが、部材１０を特定の経路に沿って支持して案内する、案内構造体によって置き換えられることができることがわかる。たとえば、案内構造体は、その部材を部分的にあるいは全体的に囲む、チューブ、導管、あるいは、スリーブの形状であることもできる。
【００５０】
図４は、２つの接属点１２が部材１０に固定されて織物の基体１３にアンカされている、図３に示した実施態様のバリーションを示している。部材１０は、Ｕ字型の脚が、低い電気抵抗を持って各々のＵ字型をまたいで実効的に短絡回路を形成する、電機伝導性ブリッジ１９によって接続されている、２つあるいはそれ以上のＵ字型の部分１８を含むようにも構成される。部材１０は、部材の有効長から除かれた部材の長さが変化できるように、ブリッジ１９を通して滑ることができる。
【００５１】
使用時、この実施態様が装着されている、関節の動きによって、それらの接続点１２互いに離れたり近づいたりして、それらの接続点１２が互いに離れた場合には、部材は、ブリッジ１９を通してすべって、Ｕ字型形状の大きさを低減して、部材１０の有効長を増大する。
【００５２】
図５は、部材１０が、相互接属の中央点２０で互いに接触している、Ｘ字型の中で直線的に保たれている、２つの個別のサブ部材（部材の部材、下位の部材）１０ａ、１０ｂを具備する、代替実施態様を示している。相互接属の中央点２０は、基体の織物１３上の特定の点に、位置することも、あるいは、位置しないこともできる。それらの電源接続部１２は、隣接する各々のサブ部材１０ａ、１０ｂの端に固定されて織物の基体１３にアンカされている。したがって、部材１０の全体的な有効長はＶ字型である。
【００５３】
使用時、実施態様が装着された、関節の動きによって、サブ部材１０ａ、１０ｂ間に形成された角度が変化して、部材に沿った相互接続点２０も変化する。相互接続点２０が織物１３上の特定の点に位置した場合、図５に矢印で示した方向に伸ばすと、相互接続点２０は、相対的に言うと、サブ部材１０ａ、１０ｂに沿って電源接続点１２から離れるように動く。たとえば、相互接続点と電源接続点１２が離れるように動いて、Ｖ字型の長さが増加する場合、最小電気抵抗経路を規定する部材１０の有効長も増加する。
【００５４】
図６は、図５に示す実施態様のバリエーションを示しており、実質的に、平行な軸を持つ、２つのサブ部材１０ａ、１０ｂを具備している。サブ部材１０ａ、１０ｂの反対側の端は、これらに固定的に接続された、電源を備えて、織物の基体１３に装着されアンカされている。サブ部材１０ａ、１０ｂの各々のもう一方の端は、サブ部材１０ａ、１０ｂが重なる部分でサブ部材１０ａ、１０ｂが並列抵抗を形成するように、２つの隣接したサブ部材を互いに係合する、フック構造体２１を具備している。
【００５５】
使用時、この実施態様が装着されている、関節の動きによって、それらの電源接続点１２は互いに離れたり近づいたりする。それらの電源接続点１２の相対運動に応じて、フック構造体２１は、各々のサブ部材を互いを超えて滑ってサブ部材１０ａ、１０ｂが並列抵抗を形成する程度を変化させることができるようにする。言い換えると、最小抵抗経路を規定する部材１０の有効長をそれらの接続点間の動きに応じて変化させる。
【００５６】
上述した各々の実施態様は、可撓性を持つ基体、好適には、ナイロン、ゴム、スパンテックス、あるいは、ｌｙｃｒａ（商標）のような弾性物質を含む伸張可能な織物を具備することが出来る。この基体は、直接あるいは間接的に、機械に装着され、あるいは、衣服の一部をなすこともなさないことも出来る、この基体は、直接あるいは間接的に、人によって着られる。基体の典型的な例は、基体が膝用あるいは肘用のサポータの部分を形成するものであろう。
【００５７】
理想的には、上述した、部材、あるいは、サブ部材は、カーボン添加ポリアミド・フィラメント、あるいは、銀をコートしたナイロン糸であろう。丈夫で機械で洗濯できる、これらおよび他のすべての電気伝導性部材を部材として使用することができる。
【００５８】
加えて、部材は、織物の中に埋め込んで内部通路よって案内されることも出来、あるいは、代替的には図１から図６に示すように、案内スティッチ（縫い目、針目）によって織物の表面に配置されて所望の方向に向けられることも出来る。
【００５９】
図７ａから図７ｃは、弾性的に変形可能な部材とほぼ図４の構成を持った２つの電源接続点を具備するように変更した、従来の弾性を持った膝サポータを使用して、試行した結果を図で示したものである。
【００６０】
図７ａは、部材（センサ）の電気抵抗が膝の屈曲の程度の関数であることを示す図である。図７ｂは、部材の抵抗は部材の有効長の線形関数であることを示す図である。最後に、図７ｃは、部材の有効長は、膝が曲がっていないとき、約４５ｍｍから、膝が１１０°曲がっているとき、約６０ｍｍまで増加することを示す図である。
【００６１】
図７ａから図７ｃにて得られた結果は、さらに、膝サポータを装着している人の膝の曲がりを、記録、あるいは、分析に使用できるように、装置を較正するのに使用することができる。さらに、接続点間の部材の有効長は、装置の設計、特に、接続点の互いの位置、さらに、動いているときの形状と構成の変化にも依存していることが理解できるであろう。部材の有効長の電位抵抗は、抵抗部材の選択および部材の伝導特性にも依存している。抵抗特性は、線形であることもできるし、非線形であることもできる。我々の実験のどの場合でも、接続点間で測定された電気抵抗は、１０から３００ｋΩの抵抗範囲、そして、適切な範囲は、１０から１００ｋΩであることが望ましい。
【００６２】
図８は、１ヘルツの周波数で周期的に直線的に（ほんの少しだけ曲げて）引き伸ばされる、機械的なサイクル応力試験装置に装着した、ルーズ・ニット構造で編んだ部材の電気抵抗を図示したものである。弾性的に変形可能な部材は、ほぼ図１に示した実施態様の構成にした。この例では、測定されて較正の基礎として使用される、曲がり（撓み）の角度の代わりに、図８は、引き伸ばした程度を緩く編んだ繊維スリーブにかけられた応力として測定した結果を示している。
【００６３】
特に、繊維は、センサが１０秒間、最大応力のほぼ２０％、３０％、および、４０％下におかれるように、部分的に伸ばされる。部材の電気抵抗も測定される。図８に示した結果は、屈曲応力センシング用に装置は較正されることができる、選択した数値のセットを提供する。
【００６４】
本発明の分野における当業者は、記載した好適な実施態様および実施例は、本発明の範囲と思想を逸脱せずに、多くの変更とバリエーションをなすことができることを理解するであろう。
【００６５】
たとえば、人あるいは対象物の動きを検出する、動き検出器あるいは動き検出装置との関連における好適な実施態様で本発明を記載したが、本発明によって検出あるいは監視される動きは、如何なる目的にも使用することができることが理解できるであろう。たとえば、その動きは、トレーニング、あるいは、骨格関節あるいは筋肉損傷のリハビリテーション、生体医療観察、医療用織物、負傷軍人のためのトリアージ・サービス、その他の軍事および警備への応用を目的として、解析されることができる。別の例によれば、この装置は、部材の有効長、したがって、装置の電気抵抗が帆の形状と構成に依存する、ヨットの帆のような媒体に応用できる。換言すると、帆の形状と構成の関数である、帆の風の受け具合とパフォーマンスは、最終的には、この装置によって測定された電気抵抗に基づいて調整される。
【００６６】
本発明によって検出された動きの変化は、エレキギターの音のような出力制御にも使用することができる。より具体的には、本発明は、人の肘の動きを監視あるいは検出するように構成することができ、人の肘の動きは、あたかもその人が彼らの手をフレットボードの上に置いた、あるいは、ギターのストリングをかき鳴らしたかのように、人の手の動きを反映する。
【００６７】
加えて、上に述べた好適な実施態様は、部材が、導電性を持ち、かつ、自身の軸を横切る方向に弾性的に変形できる、本質的に、単一の部材である、例である。図には示さないが、案内スティッチ１７は、部材を特定の経路に沿って支持して案内する案内構造体で、少なくとも部分的に可能性としては全体的に置き換えられることも考えられる。この案内構造体は、部分的あるいは全体的に部材を取り囲む、チューブ、あるいは、導管の形状をなすことができ、本質的に、非弾性的あるいは弾性的であることができる。案内構造体が非弾性的である場合、好適には、案内構造体は、それを通して最小の摩擦で部材が滑る、チューブ、導管、あるいは、スリーブとして構成されていることが好ましい。案内構造体が弾性的である場合、好適には、案内構造体は、部材の有効長が最小電気抵抗を持つ経路を規定するように、部材の長手方向軸を横切る方向の部材の変形を最小化するように調整されている、チューブ、導管、あるいは、スリーブとして構成されていることが好ましい。部材が織物あるいは基体に埋め込まれている場合も、案内構造体は、織物あるいは基体の中に形成された通路によって提供されることが可能である。全体的なあるいは部分的な織物の弾性的性質によって、部材の変形は最小化される。
【図面の簡単な説明】
【００６８】
【図１】本発明の第一の実施態様にしたがった、織物に取付けるのに適した動き検出器の概略図である。
【図２】本発明の第一の実施態様にしたがった、織物に取付けるのに適した動き検出器の概略図である。
【図３】本発明の第二の実施態様にしたがった、織物に取付けるのに適した別の動き検出器の概略図である。
【図４】本発明の第二の実施態様にしたがった、織物に取付けるのに適した別の動き検出器の概略図である。
【図５】本発明の第三の実施態様にしたがった、織物に取付けるのに適した更に別の動き検出器の概略図である。
【図６】本発明の第三の実施態様にしたがった、織物に取付けるのに適した更に別の動き検出器の概略図である。
【図７ａ】部材の電気抵抗が膝の屈曲の程度の関数であることを示す図である。
【図７ｂ】部材の抵抗は部材の有効長の線形関数であることを示す図である。
【図７ｃ】部材の有効長は、膝が曲がっていないとき、約４５ｍｍから、膝が１１０°曲がっているとき、約６０ｍｍまで増加することを示す図である。
【図８】１ヘルツの周波数で周期的に直線的に（ほんの少しだけ曲げて）引き伸ばされる、機械的なサイクル応力試験装置に装着した、ルーズ・ニット構造で編んだ部材の電気抵抗を図示した図である。
【図１】
2009511135.tif 000003
【図２】
2009511135.tif 000004
【図３】
2009511135.tif 000005
【図４】
2009511135.tif 000006
【図５】
2009511135.tif 000007
【図６】
2009511135.tif 000008
【図７ａ】
2009511135.tif 000009
【図７ｂ】
2009511135.tif 000010
【図７ｃ】
2009511135.tif 000011
【図８】
2009511135.tif 000012
【国際調査報告】
2009511135.tif 000013
2009511135.tif 000014